(57)【要約】【課題】メニュー等のオンスクリーン表示を高品質に、かつ、テキスト等のクローズドキャプション表示を規格通りに画面表示させる。【解決手段】入力映像信号のクローズドキャプション信号に基づいてクローズドキャプション制御部２０ｂにより生成されるクローズドキャプション表示信号をＭ／Ｓ−ＶＣＪ回路１２／１３にて対応する各入力映像信号に重畳させた後、ＹＰＢＰＲ形式の映像信号に変換し、更に、変換後の該映像信号をＲＧＢ回路２５にて画面表示可能なＲＧＢ形式の映像信号に変換し、ＳＣＡＬＥ回路２６にて画面表示用のスケーリング処理を施す一方、ユーザの指示に基づいてオンスクリーン制御部２０ａにより生成されたオンスクリーン表示信号を、ＯＳＤ回路２７にて画面表示可能なＲＧＢ形式の信号に変換させた後、ＳＣＡＬＥ回路２６にてスケーリング処理が施された後の映像信号に重畳させて、ブラウン管４３への駆動信号として出力する。【選択図】　　　　図１
2004023139.tif 000002
【特許請求の範囲】
【請求項１】
入力されてくる映像信号に対して画面表示可能なＲＧＢ信号形式の映像ＲＧＢ信号に画像処理がなされる画像信号処理部が備えられている画像表示装置において、該画像信号処理部が、文字列や図形を含むメニュー情報をオンスクリーン表示信号として前記映像信号に重畳させて表示するためのオンスクリーン出力制御部と、入力されてくる前記映像信号から抽出されたクローズドキャプション信号に基づいて作成されたテキスト情報をクローズドキャプション表示信号として前記映像信号に重畳させて表示するためのクローズドキャプション出力制御部とがそれぞれ独立に別個に備えられていることを特徴とする画像表示装置。
【請求項２】
請求項１に記載の画像表示装置において、前記画像信号処理部が、ユーザからの指示内容に基づいて生成されたメニュー情報をオンスクリーン表示信号として生成するオンスクリーン制御部と、入力されてくる前記映像信号から抽出されたクローズドキャプション信号に基づいてテキスト情報をクローズドキャプション表示信号として生成するクローズドキャプション制御部と、入力されてくる前記映像信号をＹＰＢＰＲ信号形式に変換して映像ＹＰＢＰＲ信号として出力する映像変換部と、該映像変換部により変換された前記映像ＹＰＢＰＲ信号を画面表示可能なＲＧＢ信号形式に変換して映像ＲＧＢ信号として出力するＲＧＢ変換部と、該ＲＧＢ変換部により変換された前記映像ＲＧＢ信号に対して画面表示用のスケーリング処理を施すスケーリング処理部とを備え、前記オンスクリーン出力制御部が、前記オンスクリーン制御部にて生成される前記オンスクリーン表示信号を、画面表示可能なＲＧＢ信号形式に変換させた後に、前記スケーリング処理部に入力することにより、当該スケーリング処理部においてスケーリング処理が施された前記映像ＲＧＢ信号と重畳させることからなっており、一方、前記クローズドキャプション出力制御部が、前記クローズドキャプション制御部にて生成される前記クローズドキャプション表示信号を前記映像変換部に入力することにより、入力されてくる前記映像信号と重畳させた後に、前記映像信号と共に映像ＹＰＢＰＲ信号に変換されて出力させることからなっていることを特徴とする画像表示装置。
【請求項３】
請求項２に記載の画像表示装置において、前記スケーリング処理部からの出力映像信号がブラウン管に対する駆動用信号として直接出力されるように、前記スケーリング処理部が、当該画像信号処理部の最終段に配設されていることを特徴とする画像表示装置。
【請求項４】
請求項２又は３に記載の画像表示装置において、前記クローズドキャプション制御部にて抽出される前記クローズドキャプション信号が、前記映像変換部により入力映像信号が変換された前記映像ＹＰＢＰＲ信号から抽出されることとすることを特徴とする画像表示装置。
【請求項５】
請求項２乃至４のいずれかに記載の画像表示装置において、前記画像信号処理部として、入力される複数の映像信号をそれぞれＹＰＢＰＲ信号形式に変換することができる前記映像変換部が複数個備えられ、前記クローズドキャプション制御部にて、複数の前記映像信号それぞれから抽出される前記クローズドキャプション信号に基づいてそれぞれに対応するテキスト情報を前記クローズドキャプション表示信号として生成し、抽出された前記クローズドキャプション信号にそれぞれ対応する前記映像変換部に入力することにより、入力されてくる前記映像信号と重畳させ、かつ、前記ＲＧＢ変換部が、複数個の前記映像変換部からそれぞれ出力されてくる複数個の前記映像ＹＰＢＰＲ信号をそれぞれＲＧＢ信号形式に変換すると共に、一つの映像ＲＧＢ信号として画像合成することができることを特徴とする画像表示装置。
【請求項６】
請求項２乃至４のいずれかに記載の画像表示装置において、前記画像信号処理部として、入力されてくる映像信号に含まれているＶｉｏｌｅｎｃｅレーティング情報を抽出して、ユーザが予め指定している表示禁止レベルと照合することにより、該映像信号の画面表示をブロックするか否かを判定し、ブロックすると判定した場合に、該映像信号の画面表示をブロックするブロック信号を出力するＶ−ＣＨＩＰブロック制御部を備え、該Ｖ−ＣＨＩＰブロック制御部から出力される該ブロック信号に基づいて、該映像信号の出力をブロックすることができることを特徴とする画像表示装置。
【請求項７】
請求項５に記載の画像表示装置において、前記画像信号処理部として、入力されてくる複数の映像信号それぞれに独立に含まれているＶｉｏｌｅｎｃｅレーティング情報を抽出して、ユーザが予め指定している表示禁止レベルとそれぞれ照合することにより、該Ｖｉｏｌｅｎｃｅレーティング情報が含まれている映像信号の画面表示をブロックするか否かを判定し、ブロックすると判定した場合に、該映像信号の画面表示をブロックするブロック信号を個別に出力するＶ−ＣＨＩＰブロック制御部を備え、該Ｖ−ＣＨＩＰブロック制御部から各映像信号毎に個別に出力される該ブロック信号に基づいて、それぞれ対応する映像信号の出力を個別にブロックすることができることを特徴とする画像表示装置。
【請求項８】
請求項６又は７に記載の画像表示装置において、前記Ｖ−ＣＨＩＰブロック制御部からの前記ブロック信号により対応する映像信号の出力をブロックする際に、該映像信号が画面表示される画面領域全域を予め定められた特定の表示とすることを特徴とする画像表示装置。
【請求項９】
請求項６乃至８のいずれかに記載の画像表示装置において、前記Ｖ−ＣＨＩＰブロック制御部にて抽出される前記Ｖｉｏｌｅｎｃｅレーティング情報が、前記映像変換部により変換された前記映像ＹＰＢＰＲ信号から抽出されることとすることを特徴とする画像表示装置。
【請求項１０】
請求項１乃至９のいずれかに記載の画像表示装置において、前記画像信号処理部として、入力されてくる映像信号を選択してモニタ画面に画面表示することができるモニタ出力部と、モニタ画面表示される前記映像信号に含まれているＶｉｏｌｅｎｃｅレーティング情報を抽出して、ユーザが予め指定している表示禁止レベルと照合することにより、該映像信号のモニタ画面表示をブロックするか否かを判定し、ブロックすると判定した場合に、該映像信号のモニタ画面表示をブロックするブロック信号を出力するＶ−ＣＨＩＰブロック制御部を備え、前記Ｖ−ＣＨＩＰブロック制御部から出力される前記ブロック信号に基づいて、前記モニタ出力部において前記映像信号のモニタ画面出力をブロックすることができることを特徴とする画像表示装置。
【請求項１１】
請求項１０に記載の画像表示装置において、前記Ｖ−ＣＨＩＰブロック制御部からの前記ブロック信号によりモニタ画面表示をブロックする際に、該モニタ画面表示をブロックするのみならず、前記ブロック信号により前記モニタ画面表示がブロックされている旨を示すテキストデータをオンスクリーン表示としてモニタ画面に表示することを特徴とする画像表示装置。
【請求項１２】
請求項２乃至１１のいずれかに記載の画像表示装置において、前記画像信号処理部に、画面表示するために入力される映像信号として、コンポジット映像信号とコンポーネント映像信号とのいずれかの映像信号を選択する映像信号選択部を備え、該映像信号選択部にて選択されたいずれかの映像信号に対して、前記ＲＧＢ変換部においてＲＧＢ信号形式の映像ＲＧＢ信号に変換して出力すると共に、前記スケーリング処理部において画面表示用のスケーリング処理が施されることを特徴とする画像表示装置。
【請求項１３】
請求項１２に記載の画像表示装置において、入力されてくる映像信号に含まれている前記クローズドキャプション信号及び／又は前記Ｖｉｏｌｅｎｃｅレーティング情報を抽出する際に、前記映像信号選択部にて選択されたいずれかの前記映像信号から前記クローズドキャプション信号及び／又は前記Ｖｉｏｌｅｎｃｅレーティング情報が抽出されることを特徴とする画像表示装置。
【請求項１４】
請求項２乃至１３のいずれかに記載の画像表示装置において、パーソナルコンピュータにより作成された映像ＲＧＢ信号に対して、前記スケーリング処理部において、画面表示用のスケーリング処理を施すことにより画面表示を可能としていることを特徴とする画像表示装置。
【発明の詳細な説明】
【０００１】
【発明の属する技術分野】
本発明は、画像表示装置に関し、特に、高精細大型画像表示装置に関する。
【０００２】
【従来の技術】
近年、画像表示装置の大型化とフラット化とに伴い、市場も大きな伸びを示している。
かかる大型化をめざす画像表示装置において、例えば、１６：９のブラウン管を用いて、アスペクト比が４：３の画像信号を収めるための技術に関し、特開平０５−３４４４３８号公報「ＲＧＢオンスクリーン回路」に記載された技術がある。即ち、特開平０５−３４４４３８号公報に記載の技術は、図５に示すごときシステム構成とすることにより、１６：９のブラウン管に表示する映像信号の画面サイズが４：３の場合に、オンスクリーン表示信号についても、かかる４：３の映像信号の画面サイズ内に収め、映像信号に連動したオンスクリーン表示を実現しているものである。
【０００３】
即ち、図５は、特開平０５−３４４４３８号公報に記載の従来技術におけるＲＧＢオンスクリーン回路のブロック構成を示すブロック図であり、図５に於いて、５１はアナログＹ，Ｕ，Ｖ復調部、５２は水平方向時間圧縮処理部、５３はＲＧＢマトリックス部、５４はスイッチ部、５５はＹ，Ｕ，Ｖ変換部である。
【０００４】
図５に示す構成からなるＲＧＢオンスクリーン回路についてその動作を説明する。まず、ＮＴＳＣ，ＰＡＬ，ＳＥＣＡＭ等の現行のカラーテレビ信号方式に基づく４：３の映像信号がアナログＹ，Ｕ，Ｖ復調部５１に入力されて、Ｙ，Ｕ，Ｖ復調されてスイッチ部５４に出力される。一方、Ｒｏｎ，Ｇｏｎ，Ｂｏｎからなるオンスクリーン信号も、Ｙ，Ｕ，Ｖ変換部５５によってＹ，Ｕ，Ｖ変換されてＹｏｎ，Ｕｏｎ，Ｖｏｎとされてスイッチ部５４に出力される。
Ｙ，Ｕ，Ｖ復調されたアスペクト比４：３の現行方式カラーテレビ映像信号とＹ，Ｕ，Ｖ変換されたオンスクリーン信号とが入力されたスイッチ部５４においては、オンスクリーン・スイッチ信号Ｙｓによって、互いの信号がスーパインポーズ（重畳）されて、Ｙ＋Ｙｏｎ，Ｕ＋Ｕｏｎ，Ｖ＋Ｖｏｎとされて、水平方向時間圧縮処理部５２へ出力される。
【０００５】
水平方向時間圧縮処理部５２においては、現行方式カラーテレビ映像信号とオンスクリーン信号との双方の信号が、共に、水平方向に７５％に時間圧縮が施されて、Ｙ’＋Ｙ’ｏｎ，Ｕ’＋Ｕ’ｏｎ，Ｖ’＋Ｖ’ｏｎとされて、ＲＧＢマトリックス部５３へ出力される。ここで、４：３画以外の期間即ち時間圧縮以外の期間には、背景信号が付加されている。ＲＧＢマトリックス部５３においては、水平方向に時間圧縮された現行方式カラーテレビ映像信号とオンスクリーン信号とをＲＧＢ変換して、Ｒ＋Ｒ’ｏｎ，Ｇ＋Ｇ’ｏｎ，Ｂ＋Ｂ’ｏｎとして、ブラウン管をドライブする。
【０００６】
この様子を図６に示す。図６は、図５に示す従来技術におけるＲＧＢオンスクリーン回路の各部の動作を示す動作波形図である。図６において、横軸は時間軸を中心に表しており、縦軸の振幅の大きさは参考程度に示している。図６に示すＹは、アナログＹ，Ｕ，Ｖ復調部５１からの出力の一つを示し、同じ回路からの出力であるＵ，Ｖは省略している。また、図６に示すＲｏｎは、Ｙ，Ｕ，Ｖ変換部５５に入力されるオンスクリーン信号３色の一つを示し、該オンスクリーン信号の他の２色Ｇｏｎ，Ｂｏｎは省略している。また、図６に示すＹｏｎは、Ｙ，Ｕ，Ｖ変換部５５からの出力の一つを示し、Ｙ，Ｕ，Ｖ変換部５５からの他の出力であるＵｏｎ，Ｖｏｎは省略している。
【０００７】
また、図６に示すＹ＋Ｙｏｎは、映像信号Ｙとオンスクリーン信号Ｙｏｎとの各Ｙ信号がスイッチ部５４においてスーパインポーズされた状態を示している。図６に示すＹ’＋Ｙ’ｏｎは、水平方向時間圧縮処理部５２において、スーパインポーズされた映像信号Ｙとオンスクリーン信号Ｙｏｎとの各Ｙ信号が共に水平方向に７５％に時間圧縮され、かつ、４：３画以外の期間、つまり、時間圧縮処理外の期間には背景信号が付加される。図６に示すＲ＋Ｒ’ｏｎは、ＲＧＢマトリックス部５３からの出力であり、４：３画面サイズの範囲内に、オンスクリーン信号Ｒ’ｏｎが存在していることを示している。即ち、図６の最下段に示すように、１６：９のブラウン管には、アスペクト比４：３の映像信号が水平方向ヘ時間圧縮された場合において、かかる４：３の画面サイズの中にオンスクリ−ン信号が存在し、かつ、４：３の画面以外の部分には背景が付加されて表示される。
【０００８】
【発明が解決しようとする課題】
前述のごときＲＧＢオンスクリーン回路の場合、メニュー等のオンスクリーン表示とテキスト等のクローズドキャプション表示（字幕表示）とをすべて、画像信号処理部の前段に位置するスイッチ部に入力して、映像信号とミキシング（即ちスーパインポーズ）することにより、例えば、映像信号の画面サイズが４：３の場合であっても、オンスクリーン信号のメニュー情報やクローズドキャプションのテキスト情報（字幕情報）が、この４：３の画面サイズ内に収まり、映像表示に連動したオンスクリーン表示やクローズドキャプション表示を可能としている。
【０００９】
しかしながら、オンスクリーン表示機能及びクローズドキャプション表示機能として、映像信号にスーパインポーズ（重畳）させるための機能がかくのごとき唯一のスイッチ部１個にしか備えられていない場合、すべてのオンスクリーン表示用の信号やクローズドキャプション表示用の信号が、ブラウン管直前の最終端よりも更に前段に位置する回路部であるスイッチ部で挿入されることになるため、本来は、高品位で表示させたいメニュー等のオンスクリーン表示があったとしても、前段に位置するスイッチ部に挿入された後に、種々の画像信号処理回路（例えば、水平方向時間圧縮処理部やＲＧＢマトリックス部など）を通過することとなり、ブラウン管に表示されるオンスクリーン表示の品位が劣化してしまうことを避けることができない。
【００１０】
又、従来のクローズドキャプション機能においては、映像信号に含まれているクローズドキャプション信号を抽出するための抜き取り回路及び映像信号とスーパインポーズ（重畳）するクローズドキャプション表示信号の挿入回路がそれぞれ１個しか存在していないために、映像信号の２画面表示を行なう際には、クローズドキャプション機能に全く対応していないか、あるいは、映像信号のうちメイン画面の映像信号に含まれているクローズドキャプション信号に基づいて作成されたクローズドキャプション表示信号（即ち、テキスト情報）のみが全画面上にまたがって表示されていた。
【００１１】
更に、テレビ画面に表示される映像信号に対するモニタ出力端子を装備しているセット即ち画像表示装置においては、モニタ出力映像そのものに関しては、Ｖ−ＣＨＩＰ（Ｖｉｏｌｅｎｃｅ−Ｃｈｉｐ）ブロック機能（即ち、暴力画面の非表示機能）が未対応であり、ユーザが予め指定している表示禁止レベルを超えるレベルにあるＶｉｏｌｅｎｃｅレーティング情報を含む映像信号の場合であっても、モニタ画面に出力するモニタ出力映像に対してはＶ−ＣＨＩＰブロック制御用としてのブロックをかけることなく、そのまま出力されていた。
【００１２】
本発明は、かかる事情に鑑みてなされたものであり、オンスクリーン表示信号やクローズドキャプション表示信号を映像信号に重畳させる際に、オンスクリーン表示信号を映像信号へ重畳させて表示するためのオンスクリーン出力制御部とクローズドオプション表示信号を映像信号へ重畳させて表示するためのクローズドキャプション表示制御部とを別個に配設し、互いに独立して動作させることを可能とし、更に、２個以上の複数個の映像信号それぞれに対応するクローズドキャプション信号に基づいて生成されるそれぞれのクローズドキャプション表示信号を、対応するそれぞれの映像表示画面に当該映像信号と重畳させて表示させることを可能とすると共に、映像信号をモニタするモニタ出力信号に対してもＶ−ＣＨＩＰブロック機能を用いたモニタ画面表示のブロック機能を付与せんとするものである。
【００１３】
【課題を解決するための手段】
第１の技術手段は、入力されてくる映像信号に対して画面表示可能なＲＧＢ信号形式の映像ＲＧＢ信号に画像処理がなされる画像信号処理部が備えられている画像表示装置において、該画像信号処理部が、文字列や図形を含むメニュー情報をオンスクリーン表示信号として前記映像信号に重畳させて表示するためのオンスクリーン出力制御部と、入力されてくる前記映像信号から抽出されたクローズドキャプション信号に基づいて作成されたテキスト情報をクローズドキャプション表示信号として前記映像信号に重畳させて表示するためのクローズドキャプション出力制御部とがそれぞれ独立に別個に備えられている画像表示装置とすることを特徴とするものである。
【００１４】
第２の技術手段は、前記第１の技術手段に記載の画像表示装置において、前記画像信号処理部が、ユーザからの指示内容に基づいて生成されたメニュー情報をオンスクリーン表示信号として生成するオンスクリーン制御部と、入力されてくる前記映像信号から抽出されたクローズドキャプション信号に基づいてテキスト情報をクローズドキャプション表示信号として生成するクローズドキャプション制御部と、入力されてくる前記映像信号をＹＰＢＰＲ信号形式に変換して映像ＹＰＢＰＲ信号として出力する映像変換部と、該映像変換部により変換された前記映像ＹＰＢＰＲ信号を画面表示可能なＲＧＢ信号形式に変換して映像ＲＧＢ信号として出力するＲＧＢ変換部と、該ＲＧＢ変換部により変換された前記映像ＲＧＢ信号に対して画面表示用のスケーリング処理を施すスケーリング処理部とを備え、前記オンスクリーン出力制御部が、前記オンスクリーン制御部にて生成される前記オンスクリーン表示信号を、画面表示可能なＲＧＢ信号形式に変換させた後に、前記スケーリング処理部に入力することにより、当該スケーリング処理部においてスケーリング処理が施された前記映像ＲＧＢ信号と重畳させることからなっており、一方、前記クローズドキャプション出力制御部が、前記クローズドキャプション制御部にて生成される前記クローズドキャプション表示信号を前記映像変換部に入力することにより、入力されてくる前記映像信号と重畳させた後に、前記映像信号と共に映像ＹＰＢＰＲ信号に変換されて出力させることからなっている画像表示装置とすることを特徴とするものである。
【００１５】
第３の技術手段は、前記第２の技術手段に記載の画像表示装置において、前記スケーリング処理部からの出力映像信号がブラウン管に対する駆動用信号として直接出力されるように、前記スケーリング処理部が、当該画像信号処理部の最終段に配設されている画像表示装置とすることを特徴とするものである。
【００１６】
第４の技術手段は、前記第２又は第３の技術手段に記載の画像表示装置において、前記クローズドキャプション制御部にて抽出される前記クローズドキャプション信号が、前記映像変換部により入力映像信号が変換された前記映像ＹＰＢＰＲ信号から抽出されることとする画像表示装置とすることを特徴とするものである。
【００１７】
第５の技術手段は、前記第２乃至第４の技術手段のいずれかに記載の画像表示装置において、前記画像信号処理部として、入力される複数の映像信号をそれぞれＹＰＢＰＲ信号形式に変換することができる前記映像変換部が複数個備えられ、前記クローズドキャプション制御部にて、複数の前記映像信号それぞれから抽出される前記クローズドキャプション信号に基づいてそれぞれに対応するテキスト情報を前記クローズドキャプション表示信号として生成し、抽出された前記クローズドキャプション信号にそれぞれ対応する前記映像変換部に入力することにより、入力されてくる前記映像信号と重畳させ、かつ、前記ＲＧＢ変換部が、複数個の前記映像変換部からそれぞれ出力されてくる複数個の前記映像ＹＰＢＰＲ信号をそれぞれＲＧＢ信号形式に変換すると共に、一つの映像ＲＧＢ信号として画像合成することができる画像表示装置とすることを特徴とするものである。
【００１８】
第６の技術手段は、前記第２乃至第４の技術手段のいずれかに記載の画像表示装置において、前記画像信号処理部として、入力されてくる映像信号に含まれているＶｉｏｌｅｎｃｅレーティング情報を抽出して、ユーザが予め指定している表示禁止レベルと照合することにより、該映像信号の画面表示をブロックするか否かを判定し、ブロックすると判定した場合に、該映像信号の画面表示をブロックするブロック信号を出力するＶ−ＣＨＩＰブロック制御部を備え、該Ｖ−ＣＨＩＰブロック制御部から出力される該ブロック信号に基づいて、該映像信号の出力をブロックすることができる画像表示装置とすることを特徴とするものである。
【００１９】
第７の技術手段は、前記第５の技術手段に記載の画像表示装置において、前記画像信号処理部として、入力されてくる複数の映像信号それぞれに独立に含まれているＶｉｏｌｅｎｃｅレーティング情報を抽出して、ユーザが予め指定している表示禁止レベルとそれぞれ照合することにより、該Ｖｉｏｌｅｎｃｅレーティング情報が含まれている映像信号の画面表示をブロックするか否かを判定し、ブロックすると判定した場合に、該映像信号の画面表示をブロックするブロック信号を個別に出力するＶ−ＣＨＩＰブロック制御部を備え、該Ｖ−ＣＨＩＰブロック制御部から各映像信号毎に個別に出力される該ブロック信号に基づいて、それぞれ対応する映像信号の出力を個別にブロックすることができる画像表示装置とすることを特徴とするものである。
【００２０】
第８の技術手段は、前記第６又は第７の技術手段に記載の画像表示装置において、前記Ｖ−ＣＨＩＰブロック制御部からの前記ブロック信号により対応する映像信号の出力をブロックする際に、該映像信号が画面表示される画面領域全域を予め定められた特定の表示とする画像表示装置とすることを特徴とするものである。
【００２１】
第９の技術手段は、前記第６乃至第８の技術手段のいずれかに記載の画像表示装置において、前記Ｖ−ＣＨＩＰブロック制御部にて抽出される前記Ｖｉｏｌｅｎｃｅレーティング情報が、前記映像変換部により変換された前記映像ＹＰＢＰＲ信号から抽出されることとする画像表示装置とすることを特徴とするものである。
【００２２】
第１０の技術手段は、前記第１乃至第９の技術手段のいずれかに記載の画像表示装置において、前記画像信号処理部として、入力されてくる映像信号を選択してモニタ画面に画面表示することができるモニタ出力部と、モニタ画面表示される前記映像信号に含まれているＶｉｏｌｅｎｃｅレーティング情報を抽出して、ユーザが予め指定している表示禁止レベルと照合することにより、該映像信号のモニタ画面表示をブロックするか否かを判定し、ブロックすると判定した場合に、該映像信号のモニタ画面表示をブロックするブロック信号を出力するＶ−ＣＨＩＰブロック制御部を備え、前記Ｖ−ＣＨＩＰブロック制御部から出力される前記ブロック信号に基づいて、前記モニタ出力部において前記映像信号のモニタ画面出力をブロックすることができる画像表示装置とすることを特徴とするものである。
【００２３】
第１１の技術手段は、前記第１０の技術手段に記載の画像表示装置において、前記Ｖ−ＣＨＩＰブロック制御部からの前記ブロック信号によりモニタ画面表示をブロックする際に、該モニタ画面表示をブロックするのみならず、前記ブロック信号により前記モニタ画面表示がブロックされている旨を示すテキストデータをオンスクリーン表示としてモニタ画面に表示する画像表示装置とすることを特徴とするものである。
【００２４】
第１２の技術手段は、前記第２乃至第１１の技術手段のいずれかに記載の画像表示装置において、前記画像信号処理部に、画面表示するために入力される映像信号として、コンポジット映像信号とコンポーネント映像信号とのいずれかの映像信号を選択する映像信号選択部を備え、該映像信号選択部にて選択されたいずれかの映像信号に対して、前記ＲＧＢ変換部においてＲＧＢ信号形式の映像ＲＧＢ信号に変換して出力すると共に、前記スケーリング処理部において画面表示用のスケーリング処理が施される画像表示装置とすることを特徴とするものである。
【００２５】
第１３の技術手段は、前記第１２の技術手段記載の画像表示装置において、入力されてくる映像信号に含まれている前記クローズドキャプション信号及び／又は前記Ｖｉｏｌｅｎｃｅレーティング情報を抽出する際に、前記映像信号選択部にて選択されたいずれかの前記映像信号から前記クローズドキャプション信号及び／又は前記Ｖｉｏｌｅｎｃｅレーティング情報が抽出される画像表示装置とすることを特徴とするものである。
【００２６】
第１４の技術手段は、前記第２乃至第１３の技術手段のいずれかに記載の画像表示装置において、パーソナルコンピュータにより作成された映像ＲＧＢ信号に対して、前記スケーリング処理部において、画面表示用のスケーリング処理を施すことにより画面表示を可能としている画像表示装置とすることを特徴とするものである。
【００２７】
即ち、前述の課題を解決するために、前述のごとき各技術手段を備えている本発明に係る画像表示装置においては、オンスクリーン表示用とクローズドキャプション表示用とにそれぞれ別個に映像信号との重畳を行なう出力部と各表示信号（即ち、オンスクリーン表示信号とクローズドキャプション表示信号）を生成する制御部とを装備することにより、それぞれに最適な表示を可能とし、もって、文字列や図形を含むメニュー情報からなるオンスクリーン表示は高品位で出力し、一方、テキスト情報（字幕情報）からなるクローズドキャプション表示は、クローズドキャプション表示規格通りの出力（例えば、４：３画面上に３２文字／行のテキストの表示）を可能としている。
【００２８】
また、２画面以上の複数のマルチ画面表示機能を装備した画像表示装置においても、２画面以上のマルチ画面を表示する際に、例えば、メイン画面とサブ画面との２画面の場合、それぞれに対応する映像信号からクローズドキャプション信号を抽出することにより生成されたクローズドキャプション表示信号をメイン画面とサブ画面とのそれぞれ対応する映像信号に重畳させて画面表示することを可能としており、２画面以上のマルチ画面表示の場合においても、クローズドキャプション信号をクローズドキャプション表示規格通りに、各映像信号の表示画面内に正しく表示することを可能としている。
【００２９】
また、Ｖ−ＣＨＩＰブロック機能を装備した画像表示装置においては、例えば、メイン画面、サブ画面それぞれの映像信号から抽出されたＶｉｏｌｅｎｃｅレーティング情報とユーザが予め指定した表示禁止レベルとをそれぞれ個別に照合して、画面表示をブロックすべきと判定された映像信号の出力のみについて、Ｖ−ＣＨＩＰブロック制御部からのブロック信号によりブロックすることを可能とし、もって、メイン画面及びサブ画面それぞれのＶｉｏｌｅｎｃｅ場面について個別に画面表示を抑止することができる。
【００３０】
更には、モニタ出力機能を装備した画像表示装置においては、モニタ出力映像として選択された映像信号に対しても、Ｖｉｏｌｅｎｃｅレーティング情報を抽出して、ユーザが予め指定している表示禁止レベルを超えている場合にあっては、モニタ出力映像に対して、Ｖ−ＣＨＩＰブロック制御部からのブロック信号によりブロックすることを可能としている。更には、かかる場合においては、モニタ出力映像信号をブロック（通常はミュート（消去））するだけではなく、Ｖ−ＣＨＩＰブロック制御部からのブロック信号によりモニタ画面表示がブロックされることを、テキストデータを用いてモニタ画面に表示することを可能としている。
【００３１】
【発明の実施の形態】
本発明に係る画像表示装置の実施形態の一例として、高精細大型画像表示装置を例に取って、以下に図面を参照しながら説明する。
図１は、本発明に係る画像表示装置の一例である高精細大型画像表示装置のブロック構成例を示すブロック構成図である。
なお、図１に示す高精細大型画像表示装置においては、メインとサブの２つの映像信号を同時に表示することができるマルチ画面表示機能が付与されている実施例を示しているが、本発明に係る画像表示装置においては、２つの映像信号のみの同時画面表示に限るものではなく、２つ以上の複数のマルチ画面の場合であっても、以下に説明する各種の技術手段を全く同様に適用することが可能である。
【００３２】
図１において、１は画像信号処理部であり、４１及び４２は、それぞれテレビ放送信号を選択受信してコンポジットビデオ信号として出力するチューナＡ（ＴＵ−Ａ）及びチューナＢ（ＴＵ−Ｂ）であり、４３は映像信号を画面表示するブラウン管である。画像信号処理部１において、２は２系統からなるチューナ入力端子、３は３系統からなるコンポジットビデオ入力端子、４は４系統からなるコンポーネントビデオ／ＲＧＢビデオ入力端子、５はＰＣビデオ入力端子、６はＤＶＩ／ＳＴＢ切替回路（Ｄ／Ｓ−ＳＷ：ＤＶＩ／ＳＴＢ　Ｓｗｉｔｃｈｉｎｇ　　Ｃｉｒｃｕｉｔ）、７はＲＧＢ→ＹＰＢＰＲ変換回路（ＲＧＢ→ＹＰＢＰＲ）、８はコンポジット信号入力切替回路（ＣＰＳＴ−ＳＷ：Ｃｏｍｐｏｓｉｔｅ　　Ｉｎｐｕｔ　Ｓｉｇｎａｌ　Ｓｗｉｔｃｈｉｎｇ　　Ｃｉｒｃｕｉｔ）、９はコンポーネント信号入力切替回路（ＣＰＮＴ−ＳＷ：Ｃｏｍｐｏｎｅｎｔ　　Ｉｎｐｕｔ　Ｓｉｇｎａｌ　Ｓｗｉｔｃｈｉｎｇ　　Ｃｉｒｃｕｉｔ）、１０は３次元ＹＣ分離回路（３−ＹＣ：３Ｄｉｍｅｎｓｉｏｎ　　ＹＣ　Ｓｅｐａｒａｔｉｏｎ　Ｃｉｒｃｕｉｔ）、１１は２ラインＹＣ分離回路（２−ＹＣ：２　Ｌｉｎｅ　ＹＣ　Ｓｅｐａｒａｔｉｏｎ　Ｃｉｒｃｕｉｔ）である。
【００３３】
また、画像信号処理部１において、１２はメインＶＣＪ回路（Ｍ−ＶＣＪ：Ｍａｉｎ　ＶＣＪ（Ｖｉｄｅｏ　　Ｓｉｇｎａｌ　　Ｃｏｎｖｅｒｓｉｏｎ　　＆　Ｃｌｏｓｅｄ　Ｃａｐｔｉｏｎ　　Ｊｕｎｃｔｉｏｎ）　Ｃｉｒｃｕｉｔ）、１３はサブＶＣＪ回路（Ｓ−ＶＣＪ：Ｓｕｂ　　ＶＣＪ（Ｖｉｄｅｏ　　Ｓｉｇｎａｌ　　Ｃｏｎｖｅｒｓｉｏｎ　　＆　Ｃｌｏｓｅｄ　Ｃａｐｔｉｏｎ　　Ｊｕｎｃｔｉｏｎ）　Ｃｉｒｃｕｉｔ）、１４はメインブルーバック切替回路（Ｍ−ＢＢ：Ｍａｉｎ　Ｂｌｕｅ−Ｂａｃｋ　　Ｓｉｇｎａｌ　　Ｓｗｉｔｃｈｉｎｇ　Ｃｉｒｃｕｉｔ）、１５はサブブルーバック切替回路（Ｓ−ＢＢ：Ｓｕｂ　　Ｂｌｕｅ−Ｂａｃｋ　Ｓｉｇｎａｌ　Ｓｗｉｔｃｈｉｎｇ　　Ｃｉｒｃｕｉｔ）、１６はメインコンポーネント／コンポジット信号切替回路（Ｍ−Ｎ／Ｓ−ＳＷ：Ｍａｉｎ　Ｃｏｍｐｏｎｅｎｔ　　Ｓｉｇｎａｌ／Ｃｏｍｐｏｓｉｔｅ　　Ｓｉｇｎａｌ　　Ｓｗｉｔｃｈｉｎｇ　Ｃｉｒｃｕｉｔ）、１７はサブコンポーネント／コンポジット信号切替回路（Ｓ−Ｎ／Ｓ−ＳＷ：Ｓｕｂ　　Ｃｏｍｐｏｎｅｎｔ　Ｓｉｇｎａｌ／Ｃｏｍｐｏｓｉｔｅ　　Ｓｉｇｎａｌ　　Ｓｗｉｔｃｈｉｎｇ　Ｃｉｒｃｕｉｔ）である。
【００３４】
また、画像信号処理部１において、１８はメインＬＰＦ（ローパスフィルタ）回路（Ｍ−ＬＰＦ：Ｍａｉｎ　ＬＰＦ（Ｌｏｗ　　Ｐａｓｓ　　Ｆｉｌｔｅｒ）Ｃｉｒｃｕｉｔ）、１９はサブＬＰＦ（ローパスフィルタ）回路（Ｓ−ＬＰＦ：Ｓｕｂ　　ＬＰＦ（Ｌｏｗ　　Ｐａｓｓ　　Ｆｉｌｔｅｒ）Ｃｉｒｃｕｉｔ）、２０はメインマイコン（ＭＣＰ：Ｍａｉｎ　Ｃｏｎｔｒｏｌ　　Ｍｉｃｒｏ−Ｐｒｏｃｅｓｓｏｒ）、２０ａはオンスクリーン制御部（ＯＳＤ−Ｃ：Ｏｎ‐Ｓｃｒｅｅｎ　Ｄｉｓｐｌａｙ　　Ｃｏｎｔｒｏｌｌｅｒ）、２０ｂはクローズドキャプション制御部（ＣＣ−Ｃ：Ｃｌｏｓｅｄ　Ｃａｐｔｉｏｎ　　Ｃｏｎｔｒｏｌｌｅｒ）、２０ｃはＶ−ＣＨＩＰブロック制御部（Ｖ−ＣＨＩＰ−Ｃ：Ｖｉｏｌｅｎｃｅ‐Ｃｈｉｐ　Ｂｌｏｃｋｉｎｇ　Ｃｏｎｔｒｏｌｌｅｒ）、２１はメインＬＰＦ（ローパスフィルタ）／スルー切替回路（Ｍ−Ｌ／Ｔ−ＳＷ：Ｍａｉｎ　ＬＰＦ　Ｏｕｔｐｕｔ　Ｓｉｇｎａｌ／ＬＰＦ　Ｔｈｒｏｕｇｈ　　Ｓｉｇｎａｌ　　Ｓｗｉｔｃｈｉｎｇ　Ｃｉｒｃｕｉｔ）、２２はサブＬＰＦ（ローパスフィルタ）／スルー切替回路（Ｓ−Ｌ／Ｔ−ＳＷ：Ｓｕｂ　　ＬＰＦ　Ｏｕｔｐｕｔ　Ｓｉｇｎａｌ／ＬＰＦ　Ｔｈｒｏｕｇｈ　　Ｓｉｇｎａｌ　　Ｓｗｉｔｃｈｉｎｇ　Ｃｉｒｃｕｉｔ）、２３はＩＰ／ＰＡＳＳ入力切替回路（ＩＰ／Ｐ−ＳＷ：ＩＰ（Ｉｎｔｅｒｌａｃｅ・Ｐｒｏｇｒｅｓｓｉｖｅ）Ｓｉｇｎａｌ／ＰＡＳＳ　Ｓｉｇｎａｌ　Ｓｗｉｔｃｈｉｎｇ　　Ｃｉｒｃｕｉｔ）である。
【００３５】
また、画像信号処理部１において、２４はＩＰ変換／マルチ画面回路（ＩＰＣ／ＭＵＬ：ＩＰ　Ｃｏｎｖｅｒｓｉｏｎ／Ｍｕｌｔｉ‐Ｄｉｓｐｌａｙ　　Ｃｉｒｃｕｉｔ）、２５はデジタルＲＧＢプロセッシング回路（ＲＧＢ：Ｄｉｇｉｔａｌ　　ＲＧＢ　Ｐｒｏｃｅｓｓｉｎｇ　Ｃｉｒｃｕｉｔ）、２６はスケーリング処理回路（ＳＣＡＬＥ：Ｓｃａｌｉｎｇ　　Ｐｒｏｃｅｓｓｉｎｇ　　Ｃｉｒｃｕｉｔ）、２７はデジタルＯＳＤ出力回路（ＯＳＤ：Ｄｉｇｉｔａｌ　　ＯＮ‐Ｓｃｒｅｅｎ　Ｄｉｓｐｌａｙ　　Ｏｕｔｐｕｔ　　Ｃｉｒｃｕｉｔ）、２９はモニタ出力／Ｖ−ＣＨＩＰブロック用ＯＳＤ出力切替回路（ＭＯＮ：Ｍｏｎｉｔｏｒｉｎｇ　Ｏｕｔｐｕｔ　Ｓｉｇｎａｌ／Ｖ−ＣＨＩＰ　ｂｌｏｃｋｉｎｇ　ＯＳＤ　Ｏｕｔｐｕｔ　Ｓｉｇｎａｌ　Ｓｗｉｔｃｈｉｎｇ　　Ｃｉｒｃｕｉｔ）、３０はモニタ出力端子、３１はブラウン管出力端子である。
なお、２８は、入力されてくるＹＰＢＰＲ形式の映像信号をテレビ受像機のブラウン管４３に表示するための画像処理を施すＲＧＢスケーリング処理部であり、ＩＰ変換／マルチ画面回路（ＩＰＣ／ＭＵＬ）２４，デジタルＲＧＢプロセッシング回路（ＲＧＢ）２５，スケーリング処理回路（ＳＣＡＬＥ）２６，デジタルＯＳＤ出力回路（ＯＳＤ）２７により構成されている。
【００３６】
ここに、オンスクリーン制御部（ＯＳＤ−Ｃ）２０ａは、ユーザからの指示内容に基づいて生成されたメニュー情報（文字列や図形情報）をＲＧＢ信号形式のオンスクリーン表示信号として生成するものであり、クローズドキャプション制御部（ＣＣ−Ｃ）２０ｂは、入力されてくる映像信号から抽出されたクローズドキャプション信号に基づいてテキスト情報（字幕情報）をクローズドキャプション表示信号として生成するものである。
また、Ｖ−ＣＨＩＰブロック制御部（Ｖ−ＣＨＩＰ−Ｃ）２０ｃは、入力されてくる映像信号に含まれているＶｉｏｌｅｎｃｅレーティング情報を抽出して、ユーザが予め指定している表示禁止レベルと照合することにより、該映像信号の画面表示をブロックするか否かを判定し、ブロックすると判定した場合に、該映像信号の画面表示をブロックするブロック信号を出力するものである。
【００３７】
また、メインＶＣＪ回路（Ｍ−ＶＣＪ）１２及びサブＶＣＪ回路（Ｓ−ＶＣＪ）１３は、入力されてくる映像信号をＹＰＢＰＲ信号形式に変換して映像ＹＰＢＰＲ信号として出力する映像変換部を構成するものである。また、デジタルＲＧＢプロセッシング回路（ＲＧＢ）２５は、入力されてくる映像ＹＰＢＰＲ信号を画面表示可能なＲＧＢ信号形式に変換して映像ＲＧＢ信号として出力するＲＧＢ変換部を構成するものであり、また、スケーリング処理回路（ＳＣＡＬＥ）２６は、該ＲＧＢ変換部であるデジタルＲＧＢプロセッシング回路（ＲＧＢ）２５により変換された映像ＲＧＢ信号に対して画面表示用のスケーリング処理を施すスケーリング処理部を構成するものである。
ここで、スケーリング処理回路（ＳＣＡＬＥ）２６は、該スケーリング処理回路（ＳＣＡＬＥ）２６からの出力映像信号がブラウン管に対する駆動用信号として直接出力されるように、当該画像信号処理部１の最終段に配設されている。
【００３８】
また、オンスクリーン制御部２０ａにて生成された前記オンスクリーン表示信号を、デジタルＯＳＤ出力回路（ＯＳＤ）２７を介して画面表示可能なＲＧＢ信号形式に変換させた後に、スケーリング処理回路（ＳＣＡＬＥ）２６に入力することにより、スケーリング処理回路（ＳＣＡＬＥ）２６においてスケーリング処理が施された映像ＲＧＢ信号と重畳させることとして、文字列や図形を含むメニュー情報をオンスクリーン表示信号として映像信号に重畳させて表示するためのオンスクリーン出力制御部が形成されている。
【００３９】
また、クローズドキャプション制御部（ＣＣ−Ｃ）２０ｂにて生成されるクローズドキャプション表示信号をそれぞれに対応する（即ち当該クローズドキャプション表示信号を生成する基にされたクローズドキャプション信号を含んでいる映像信号の前記映像変換部である）メインＶＣＪ回路（Ｍ−ＶＣＪ）１２及び／又はサブＶＣＪ回路（Ｓ−ＶＣＪ）１３に入力することにより、入力されてくる映像信号と重畳させた後に、前記映像信号と共に映像ＹＰＢＰＲ信号に変換されて出力させることとして、入力されてくる前記映像信号から抽出されたクローズドキャプション信号に基づいて作成されたテキスト情報（字幕情報）をクローズドキャプション表示信号として前記映像信号に重畳させて表示するためのクローズドキャプション出力制御部が形成されている。
【００４０】
而して、前記オンスクリーン出力制御部と前記クローズドキャプション出力制御部とは、それぞれ別個に備えられており、互いに独立に動作することが可能とされている。
【００４１】
なお、本実施例においては、クローズドキャプション制御部（ＣＣ−Ｃ）２０ｂにて映像信号から抽出されてくるクローズドキャプション信号は、前記映像変換部であるメインＶＣＪ回路（Ｍ−ＶＣＪ）１２，サブＶＣＪ回路（Ｓ−ＶＣＪ）１３において映像ＹＰＢＰＲ信号に変換された後、メインブルーバック切替回路（Ｍ−ＢＢ）１４，サブブルーバック切替回路（Ｓ−ＢＢ）１５などの各種の切替回路を経由して、メインＬＰＦ（ローパスフィルタ）／スルー切替回路（Ｍ−Ｌ／Ｔ−ＳＷ）２１，サブＬＰＦ（ローパスフィルタ）／スルー切替回路（Ｓ−Ｌ／Ｔ−ＳＷ）２２より出力される映像ＹＰＢＰＲ信号から抽出されることとしている。
【００４２】
また、複数個の前記映像変換部であるメインＶＣＪ回路（Ｍ−ＶＣＪ）１２とサブＶＣＪ回路（Ｓ−ＶＣＪ）１３とのそれぞれにより映像ＹＰＢＰＲ信号に変換された後、それぞれに対応するメインＬＰＦ（ローパスフィルタ）／スルー切替回路（Ｍ−Ｌ／Ｔ−ＳＷ）２１とサブＬＰＦ（ローパスフィルタ）／スルー切替回路（Ｓ−Ｌ／Ｔ−ＳＷ）２２とから出力されるそれぞれの映像ＹＰＢＰＲ信号より抽出されるクローズドキャプション信号に基づいて、それぞれに対応するテキスト情報（字幕情報）をクローズドキャプション表示信号として生成し、抽出された前記クローズドキャプション信号にそれぞれ対応している前記映像変換部であるメインＶＣＪ回路（Ｍ−ＶＣＪ）１２とサブＶＣＪ回路（Ｓ−ＶＣＪ）１３とに入力されることにより、入力されてくる映像信号にクローズドキャプション表示信号を重畳させると共に、前記ＲＧＢ変換部であるデジタルＲＧＢプロセッシング回路（ＲＧＢ）２５が、複数個の前記映像変換部からそれぞれ出力されてくる複数個の前記映像ＹＰＢＰＲ信号をそれぞれＲＧＢ信号形式に変換すると共に、一つの映像ＲＧＢ信号として画像合成することができるように構成されている。
【００４３】
また、入力されてくる複数の映像信号それぞれに独立に含まれているＶｉｏｌｅｎｃｅレーティング情報を抽出して、Ｖ−ＣＨＩＰブロック制御部（Ｖ−ＣＨＩＰ−Ｃ）２０ｃにて、ユーザが予め指定している表示禁止レベルとそれぞれ照合することにより、該Ｖｉｏｌｅｎｃｅレーティング情報が含まれている映像信号の画面表示をブロックするか否かを判定し、ブロックすると判定した場合に、該映像信号の画面表示をブロックするブロック信号を個別に出力し、各映像信号毎に個別に出力される該ブロック信号に基づいて、それぞれ対応する映像信号の出力を個別にブロックすることができる。
【００４４】
Ｖ−ＣＨＩＰブロック制御部（Ｖ−ＣＨＩＰ−Ｃ）２０ｃからの前記ブロック信号により対応する映像信号の出力をブロックする際に、メインブルーバック切替回路（Ｍ−ＢＢ）１４及び／又はサブブルーバック切替回路（Ｓ−ＢＢ）１５を制御して、映像信号の通過を抑止し、その代わりに、該映像信号が画面表示される対象である画面領域全域を全面ブルー表示とするように、全面ブルー一色からなるブルーバック信号に切り替えて出力することが可能である。
【００４５】
また、Ｖ−ＣＨＩＰブロック制御部（Ｖ−ＣＨＩＰ−Ｃ）２０ｃにて入力映像信号から抽出されるＶｉｏｌｅｎｃｅレーティング情報は、前記映像変換部であるメインＶＣＪ回路（Ｍ−ＶＣＪ）１２，サブＶＣＪ回路（Ｓ−ＶＣＪ）１３にて映像ＹＰＢＰＲ信号に変換された後、メインブルーバック切替回路（Ｍ−ＢＢ）１４，サブブルーバック切替回路（Ｓ−ＢＢ）１５などの各種の切替回路を経由して、メインＬＰＦ（ローパスフィルタ）／スルー切替回路（Ｍ−Ｌ／Ｔ−ＳＷ）２１，サブＬＰＦ（ローパスフィルタ）／スルー切替回路（Ｓ−Ｌ／Ｔ−ＳＷ）２２より出力される映像ＹＰＢＰＲ信号から抽出されることとしている。
【００４６】
更に、メインコンポーネント／コンポジット信号切替回路（Ｍ−Ｎ／Ｓ−ＳＷ）１６及びサブコンポーネント／コンポジット信号切替回路（Ｓ−Ｎ／Ｓ−ＳＷ）１７は、入力されてくる映像信号として、コンポーネント信号入力切替回路（ＣＰＮＴ−ＳＷ）９により選択されて入力されてくるメイン／サブコンポーネント映像信号と、コンポジット信号入力切替回路（ＣＰＳＴ−ＳＷ）８により選択された後、前記映像変換部であるメインＶＣＪ回路（Ｍ−ＶＣＪ）１２／サブＶＣＪ回路（Ｓ−ＶＣＪ）１３にて映像ＹＰＢＰＲ信号に変換されて入力されてくるメイン／サブコンポジット映像信号とのいずれかの映像信号を選択する映像信号選択部を構成するものである。
【００４７】
ここで、該映像信号選択部即ちメインコンポーネント／コンポジット信号切替回路（Ｍ−Ｎ／Ｓ−ＳＷ）１６やサブコンポーネント／コンポジット信号切替回路（Ｓ−Ｎ／Ｓ−ＳＷ）１７にて選択されたいずれの映像信号に対しても、当然、前記ＲＧＢスケーリング処理部２８における画像信号処理が可能であり、例えば、ＲＧＢ変換部であるデジタルＲＧＢプロセッシング回路（ＲＧＢ）２５においてＲＧＢ信号形式の映像ＲＧＢ信号に変換して出力すると共に、前記スケーリング処理部であるスケーリング処理回路（ＳＣＡＬＥ）２６において画面表示用のスケーリング処理が施されることが可能とされている。
【００４８】
また、前記映像信号選択部であるメインコンポーネント／コンポジット信号切替回路（Ｍ−Ｎ／Ｓ−ＳＷ）１６やサブコンポーネント／コンポジット信号切替回路（Ｓ−Ｎ／Ｓ−ＳＷ）１７は、映像信号に含まれているクローズドキャプション信号やＶｉｏｌｅｎｃｅレーティング情報を抽出する回路部であるメインＬＰＦ（ローパスフィルタ）／スルー切替回路（Ｍ−Ｌ／Ｔ−ＳＷ）２１及び／又はサブＬＰＦ（ローパスフィルタ）／スルー切替回路（Ｓ−Ｌ／Ｔ−ＳＷ）２２よりも前段に配設されており、而して、図１に示す実施例には、コンポーネント映像信号側については図示されていないが、コンポーネント映像信号及びコンポジット映像信号のいずれの映像信号についても、抽出されたクローズドキャプション信号に基づいてクローズドキャプション表示信号を表示させたり、あるいは、抽出されたＶｉｏｌｅｎｃｅレーティング情報に基づいて画面表示をブロックさせたりすることが可能である。
【００４９】
更には、モニタ出力／Ｖ−ＣＨＩＰブロック用ＯＳＤ出力切替回路（ＭＯＮ）２９は、入力されてくる映像信号を選択してモニタ画面に画面表示するために、モニタ出力端子３０へのモニタ映像信号の出力を制御するものであり、モニタ画面表示されるモニタ映像信号に含まれているＶｉｏｌｅｎｃｅレーティング情報を抽出して、メインマイコン２０のＶ−ＣＨＩＰブロック制御部（Ｖ−ＣＨＩＰ−Ｃ）２０ｃに送出することにより、ユーザが予め指定している表示禁止レベルと照合して、該モニタ映像信号のモニタ画面表示をブロックするか否かを判定させ、ブロックすると判定された場合に、該モニタ映像信号のモニタ画面表示をブロックするブロック信号をＶ−ＣＨＩＰブロック制御部（Ｖ−ＣＨＩＰ−Ｃ）２０ｃから受信して、モニタ出力端子３０へのモニタ画面表示用のモニタ映像信号をブロックする（通常は、ミュートする）ことが可能とされている。
【００５０】
また、モニタ出力／Ｖ−ＣＨＩＰブロック用ＯＳＤ出力切替回路（ＭＯＮ）２９においては、Ｖ−ＣＨＩＰブロック制御部（Ｖ−ＣＨＩＰ−Ｃ）２０ｃからのブロック信号によりモニタ画面表示をブロックする際に、単に、該モニタ画面表示をブロックするのみならず、Ｖ−ＣＨＩＰブロック制御部（Ｖ−ＣＨＩＰ−Ｃ）２０ｃからの制御により、前記ブロック信号によりモニタ画面表示がブロックされている旨を示すテキストデータをオンスクリーン表示としてモニタ画面に表示することも可能である。
【００５１】
なお、ＰＣビデオ入力端子５から入力されてくるパーソナルコンピュータにより作成された映像ＲＧＢ信号についても、テレビ画面に画面表示することが可能とされている。即ち、パーソナルコンピュータにより作成された映像ＲＧＢ信号（ＰＣビデオ信号）は、テレビ用の映像信号よりも広帯域の映像信号からなっているものであり、直接、ＲＧＢスケーリング処理部２８のスケーリング処理回路（ＳＣＡＬＥ）２６に入力して、テレビ画面に画面表示することを可能とするためのスケーリング処理を施すこととして、テレビ画面上に、かかるＰＣビデオ信号も表示可能としている。
【００５２】
以下に、図１に示す高精細大型画像表示装置のブロック構成図を用いて、本発明に係る画像表示装置の動作の一実施例について更に詳細に説明する。
輝度信号や色差信号が一つの映像信号に合成されているコンポジット信号処理系においては、例えば、アンテナから入力されてくる放送信号はチューナＡ（ＴＵ−Ａ）４１／チューナＢ（ＴＵ−Ｂ）４２において映像信号と音声信号とに復調され、映像信号はコンポジット映像信号に変換されて、２系統（Ｔ１，Ｔ２）からなるチューナ入力端子２を介して、画像信号処理部１のコンポジット信号入力切替回路（ＣＰＳＴ−ＳＷ）８に入力される。
【００５３】
また、ビデオ用外部入力端子である３系統（Ｖ１，Ｖ２，Ｖ３）からなるコンポジットビデオ入力端子３より入力されてくるコンポジット映像信号の場合も同様に、コンポジット信号入力切替回路（ＣＰＳＴ−ＳＷ）８に入力される。
コンポジット信号入力切替回路（ＣＰＳＴ−ＳＷ）８においては、入力されてくる前記各コンポジット映像信号のうち、ユーザの選択指示を受け取ったメインマイコン（ＭＣＰ）２０からの選択制御に基づいて、テレビ画面のメイン画面に表示するメイン映像，テレビ画面のサブ画面に表示するサブ映像、及び、テレビ画面に表示する映像をモニタするためのモニタ画面に表示するモニタ映像としてそれぞれ選択されたコンポジット映像信号が、それぞれメイン映像信号，サブ映像信号、及び、モニタ映像信号とされて、３次元ＹＣ分離回路（３−ＹＣ）１０，２ラインＹＣ分離回路（２−ＹＣ）１１、及び、モニタ出力／Ｖ−ＣＨＩＰブロック用ＯＳＤ出力切替回路（ＭＯＮ）２９に対してそれぞれ出力される。
【００５４】
メイン画面に表示されるメイン映像信号は、３次元ＹＣ分離回路（３−ＹＣ）１０において、時間軸方向の相関性を用いてＹＣ分離が施された後、映像変換部であるメインＶＣＪ回路（Ｍ−ＶＣＪ）１２に入力される。一方、サブ画面に表示されるサブ映像信号は、２ラインＹＣ分離回路（２−ＹＣ）１１において、上下のライン間の相関性を用いてＹＣ分離が施された後、もう一つの映像変換部であるサブＶＣＪ回路（Ｓ−ＶＣＪ）１３に入力される。
一方、モニタ映像信号は、モニタ出力／Ｖ−ＣＨＩＰブロック用ＯＳＤ出力切替回路（ＭＯＮ）２９に入力されて、メインマイコン（ＭＣＰ）２０のＶ−ＣＨＩＰブロック制御部（Ｖ−ＣＨＩＰ−Ｃ）２０ｃによりモニタ画面へのモニタ映像の出力がブロックされていない限り、モニタ映像としてそのままモニタ出力端子３０に出力される。
【００５５】
メインＶＣＪ回路（Ｍ−ＶＣＪ）１２及びサブＶＣＪ回路（Ｓ−ＶＣＪ）１３においては、それぞれ３次元ＹＣ分離回路（３−ＹＣ）１０及び２ラインＹＣ分離回路（２−ＹＣ）１１から出力されてきたメインＹＣ信号及びサブＹＣ信号と、メインマイコン（ＭＣＰ）２０のクローズドキャプション制御部（ＣＣ−Ｃ）２０ｂから出力されてきたアナログＲＧＢ信号形式のテキスト情報からなるクローズドキャプション表示信号（即ち、メインＹＣ信号及びサブＹＣ信号それぞれの映像信号に含まれていたクローズドキャプション信号に基づいてそれぞれ生成されたクローズドキャプション表示信号）との、対応する信号同士でそれぞれミキシングが行なわれ、メイン映像信号及びサブ映像信号にそれぞれに対応するクローズドキャプション表示信号が重畳された後に、ＹＰＢＰＲ信号形式のメインコンポジット信号及びサブコンポジット信号の映像ＹＰＢＰＲ信号にそれぞれ変換されて出力される。即ち、メインＶＣＪ回路（Ｍ−ＶＣＪ）１２及びサブＶＣＪ回路（Ｓ−ＶＣＪ）１３は、クローズドキャプション表示信号を映像信号に重畳させるためのクローズドキャプション出力部を形成していると共に、クローズドキャプション表示信号が重畳された映像信号をＹＰＢＰＲ信号形式の映像ＹＰＢＰＲ信号に変換する映像変換部を形成している。
【００５６】
メインＶＣＪ回路（Ｍ−ＶＣＪ）１２においては、対応するクローズドキャプション表示信号を重畳させた後に、ＹＰＢＰＲ形式に変換されたメインコンポジット信号（メイン映像ＹＰＢＰＲ信号）をメインブルーバック切替回路１４とモニタ出力／Ｖ−ＣＨＩＰブロック用ＯＳＤ出力切替回路（ＭＯＮ）２９とに対して出力する。
【００５７】
ここで、モニタ出力／Ｖ−ＣＨＩＰブロック用ＯＳＤ出力切替回路（ＭＯＮ）２９においては、コンポジット信号入力切替回路（ＣＰＳＴ−ＳＷ）８から入力されたモニタ映像信号とメインＶＣＪ回路（Ｍ−ＶＣＪ）１２から入力されたＹＰＢＰＲ信号形式のメインコンポジット信号即ちＶ−ＣＨＩＰブロック用ＯＳＤ出力信号（なお、ここでは、メインＶＣＪ回路（Ｍ−ＶＣＪ）１２から入力されるメインコンポジット信号としては、メインマイコン２０のＶ−ＣＨＩＰブロック制御部（Ｖ−ＣＨＩＰ−Ｃ）２０ｃによりモニタ出力をブロックする際に、該ブロックの発生の旨のテキストデータをモニタ画面に表示するためのＶ−ＣＨＩＰブロック用ＯＳＤ出力信号が出力されている）とのいずれかが、選択される。即ち、メインマイコン（ＭＣＰ）２０のＶ−ＣＨＩＰブロック制御部（Ｖ−ＣＨＩＰ−Ｃ）２０ｃからのＶ−ＣＨＩＰブロック用の指示（Ｂ＋ＯＳＤ）に基づいて、モニタ映像信号をそのままモニタ出力端子３０から出力するか、あるいは、モニタ映像信号としての出力をブロックして、その代わりに、メインＶＣＪ回路（Ｍ−ＶＣＪ）１２から入力されたメインコンポジット信号即ちＶ−ＣＨＩＰブロック用ＯＳＤ出力信号をモニタ出力端子３０から出力させるかのいずれかが選択される。
【００５８】
なお、かくのごとき選択動作に当たっては、まず、モニタ出力／Ｖ−ＣＨＩＰブロック用ＯＳＤ出力切替回路（ＭＯＮ）２９においてモニタ画面出力用のモニタ映像信号に含まれているＶｉｏｌｅｎｃｅレーティング情報が抽出されて、メインマイコン（ＭＣＰ）２０のＶ−ＣＨＩＰブロック制御部（Ｖ−ＣＨＩＰ−Ｃ）２０ｃに送出されている。而して、Ｖ−ＣＨＩＰブロック制御部（Ｖ−ＣＨＩＰ−Ｃ）２０ｃにおいては、送出されてきたＶｉｏｌｅｎｃｅレーティング情報とユーザが予め指定している表示禁止レベルとの照合により、該モニタ映像信号をモニタ画面表示するか否かが判定されて、該モニタ映像信号をブロックすべきと判定された場合には、モニタ出力／Ｖ−ＣＨＩＰブロック用ＯＳＤ出力切替回路（ＭＯＮ）２９に対して、ブロックを指示するブロック信号（Ｂ＋ＯＳＤ）が出力されて、モニタ出力／Ｖ−ＣＨＩＰブロック用ＯＳＤ出力切替回路（ＭＯＮ）２９において、モニタ画面に表示するモニタ映像信号をブロック（通常は、ミュート）する。
【００５９】
更には、モニタ映像信号をブロックする場合においては、メインマイコン（ＭＣＰ）２０のＶ−ＣＨＩＰブロック制御部（Ｖ−ＣＨＩＰ−Ｃ）２０ｃから出力されてきた前記ブロック信号によりモニタ画面表示がブロックされている旨を示すテキストデータをモニタ画面に表示させるべく、例えば、Ｖ−ＣＨＩＰブロック制御部（Ｖ−ＣＨＩＰ−Ｃ）２０ｃからクローズドキャプション制御部（ＣＣ−Ｃ）２０ｂを介してメインＶＣＪ回路（Ｍ−ＶＣＪ）１２により、前記Ｖ−ＣＨＩＰブロック用ＯＳＤ出力信号を生成させることにより、モニタ出力／Ｖ−ＣＨＩＰブロック用ＯＳＤ出力切替回路（ＭＯＮ）２９から、モニタ出力端子３０に対して、前記Ｖ−ＣＨＩＰブロック用ＯＳＤ出力信号、即ち、モニタ画面表示がブロックされている旨を示すテキストデータが出力される。
【００６０】
メインＶＣＪ回路（Ｍ−ＶＣＪ）１２とサブＶＣＪ回路（Ｓ−ＶＣＪ）１３とにおいて、ＹＰＢＰＲ信号形式のメインコンポジット信号とサブコンポジット信号とにそれぞれ変換された映像ＹＰＢＰＲ信号は、それぞれメインブルーバック切替回路（Ｍ−ＢＢ）１４とサブブルーバック切替回路（Ｓ−ＢＢ）１５とに入力される。
メインブルーバック切替回路（Ｍ−ＢＢ）１４とサブブルーバック切替回路（Ｓ−ＢＢ）１５とにおいては、メインマイコン（ＭＣＰ）２０より、ブルーバックを表示する旨の指示があった場合にのみ、それぞれの映像ＹＰＢＰＲ信号をそのまま出力する代わりに、ブルー一色のみからなるブルーバック信号が出力されて、該ブルーバック信号により、対応するメインコンポジット出力信号及び／又はサブコンポジット出力信号が置換されて、新たなメインコンポジット出力信号及び／又はサブコンポジット出力信号として出力される。
【００６１】
メインブルーバック切替回路（Ｍ−ＢＢ）１４とサブブルーバック切替回路（Ｓ−ＢＢ）１５とから出力されたメインコンポジット出力信号とサブコンポジット出力信号（場合によっては、前述のごとく、置換されたメインとサブのブルーバック信号とされている出力信号）は、それぞれメインコンポーネント／コンポジット信号切替回路（Ｍ−Ｎ／Ｓ−ＳＷ）１６とサブコンポーネント／コンポジット信号切替回路（Ｓ−Ｎ／Ｓ−ＳＷ）１７とに出力される。
【００６２】
なお、ここで、メインマイコン（ＭＣＰ）２０にあるＶ−ＣＨＩＰブロック制御部（Ｖ−ＣＨＩＰ−Ｃ）２０ｃにおいて、メインコンポジット出力信号とサブコンポジット出力信号とのそれぞれの映像信号に含まれているＶｉｏｌｅｎｃｅレーティング情報が抽出されてデコードされた結果と、ユーザから予め指定されている表示禁止レベルとの照合がなされた結果として、メイン及び／又はサブの各映像信号を画面表示するか否かが制御されて、メインマイコン（ＭＣＰ）２０のＶ−ＣＨＩＰブロック制御部（Ｖ−ＣＨＩＰ−Ｃ）２０ｃから画面表示をブロックすべき指示となるブロック信号がメインブルーバック切替回路（Ｍ−ＢＢ）１４及び／又はサブブルーバック切替回路（Ｓ−ＢＢ）１５に対して出力されてきた場合には、該ブロック信号に対応するメインコンポジット出力信号及び／又はサブコンポジット出力信号の出力をブロックして、ブルー一色のブルーバック信号に置換がなされ、後段には映像信号が出力されない状態とされる。
また、本発明においては、映像信号をブロックする際に、かかるブルー一色のブルーバック表示とする場合のみに限るものではなく、ブロック表示として予め定められた特定の表示（例えば、特定の色や模様からなる表示）とすることにしても構わない。
【００６３】
一方、映像信号を輝度信号と色差信号とに分離して独立に扱われる形式のコンポーネント信号処理系については、画像信号処理部１のコンポーネントビデオ／ＲＧＢビデオ入力端子４からＹＰＢＰＲ信号形式の入力信号あるいはＲＧＢ信号形式の入力信号（図１に示す例においては、ＹＰＢＰＲ信号形式の入力信号が２系統（ＩＮ１，ＩＮ２）、ＲＧＢ信号形式の入力信号が２系統（ＩＮ３，ＩＮ４）の合計４系統の入力信号）として入力される。
ＹＰＢＰＲ信号形式の入力信号の場合は、そのまま、コンポーネント信号入力切替回路（ＣＰＮＴ−ＳＷ）９に入力される。一方、２系統のＲＧＢ信号形式の入力信号としては、本実施例においては、デジタルビデオ用のＤＶＩ（Ｄｉｇｉｔａｌ　Ｖｉｄｅｏ　Ｉｎｔｅｒａｃｔｉｖｅ）のＲＧＢ入力信号（ＩＮ３）とデジタル放送用あるいはデジタルＣＡＴＶ用のＳＴＢ（Ｓｅｔ　Ｔｏｐ　Ｂｏｘ）のＲＧＢ入力信号（ＩＮ４）との２系統を対象としている。
【００６４】
従って、ＲＧＢ信号形式の入力信号の場合においては、ＤＶＩ／ＳＴＢ切替回路（Ｄ／Ｓ−ＳＷ）６に一旦入力される。該ＤＶＩ／ＳＴＢ切替回路（Ｄ／Ｓ−ＳＷ）６においては、ユーザの選択指示を受け取ったメインマイコン（ＭＣＰ）２０からの選択制御に基づいて、デジタルビデオ用のＤＶＩのＲＧＢ入力信号とデジタル放送用あるいはデジタルＣＡＴＶ用のＳＴＢのＲＧＢ入力信号とのいずれか選択されたＲＧＢ入力信号が切り替えられて出力され、コンポーネント信号入力切替回路（ＣＰＮＴ−ＳＷ）９に入力されると共に、更に、ＲＧＢ→ＹＰＢＰＲ変換回路（ＲＧＢ→ＹＰＢＰＲ）７において、ＹＰＢＰＲ信号形式の映像ＹＰＢＰＲ信号に変換されて、コンポーネント信号入力切替回路（ＣＰＮＴ−ＳＷ）９に入力される。
【００６５】
コンポーネント信号入力切替回路（ＣＰＮＴ−ＳＷ）９においては、ユーザの選択指示を受け取ったメインマイコン（ＭＣＰ）２０からの選択制御に基づいて、テレビ画面のメイン画面に表示するメインコンポーネント映像信号と、テレビ画面のサブ画面に表示するサブコンポーネント映像信号と、更には、ＨＤ（Ｈｉｇｈ　Ｄｅｆｉｎｉｔｉｏｎ）信号のごとく高品質の画像表示を可能とすべく、ノイズカット用のローパスフィルタ処理も行なわず、更に各種の切替回路も経由することなく、画像信号処理部１の後段にスルーに出力するメイン画面表示用のＰＡＳＳ映像信号との３系統の出力信号が選択されて出力される。メインコンポーネント映像信号とサブコンポーネント映像信号とはそれぞれメインコンポーネント／コンポジット信号切替回路（Ｍ−Ｎ／Ｓ−ＳＷ）１６とサブコンポーネント／コンポジット信号切替回路（Ｓ−Ｎ／Ｓ−ＳＷ）１７とに出力される。一方、ＰＡＳＳ映像信号は画像信号処理部１の後段に位置するＩＰ／ＰＡＳＳ入力切替回路（ＩＰ／Ｐ−ＳＷ）２３に直接出力される。
【００６６】
映像信号選択部であるメインコンポーネント／コンポジット信号切替回路（Ｍ−Ｎ／Ｓ−ＳＷ）１６とサブコンポーネント／コンポジット信号切替回路（Ｓ−Ｎ／Ｓ−ＳＷ）１７とにおいては、前記コンポジット信号処理系を示すメインコンポジット映像信号とサブコンポジット映像信号と、前記コンポーネント信号処理系を示すメインコンポーネント映像信号とサブコンポーネント映像信号との切替が、メイン、サブともに、ユーザの選択指示を受け取ったメインマイコン（ＭＣＰ）２０の選択制御に基づいて行なわれ、前記コンポジット信号処理系あるいは前記コンポーネント信号処理系いずれかの映像信号が出力される。
【００６７】
メインコンポーネント／コンポジット信号切替回路（Ｍ−Ｎ／Ｓ−ＳＷ）１６とサブコンポーネント／コンポジット信号切替回路（Ｓ−Ｎ／Ｓ−ＳＷ）１７とにおいて、それぞれ切り替えられて選択された前記コンポジット信号処理系あるいは前記コンポーネント信号処理系いずれかの映像信号は、それぞれメインＬＰＦ（ローパスフィルタ）回路（Ｍ−ＬＰＦ）１８とサブＬＰＦ（ローパスフィルタ）回路（Ｓ−ＬＰＦ）１９とに入力されて、高周波数成分がそれぞれカットされた映像信号とされる。また、該メインＬＰＦ（ローパスフィルタ）回路（Ｍ−ＬＰＦ）１８と該サブＬＰＦ（ローパスフィルタ）回路（Ｓ−ＬＰＦ）１９とにより高周波数成分をそれぞれカットされた映像信号は、該メインＬＰＦ（ローパスフィルタ）回路（Ｍ−ＬＰＦ）１８と該サブＬＰＦ（ローパスフィルタ）回路（Ｓ−ＬＰＦ）１９とをそれぞれバイパスさせたスルーの映像信号と共に、それぞれメインＬＰＦ（ローパスフィルタ）／スルー切替回路（Ｍ−Ｌ／Ｔ−ＳＷ）２１とサブＬＰＦ（ローパスフィルタ）／スルー切替回路（Ｓ−Ｌ／Ｔ−ＳＷ）２２とに入力される。
【００６８】
ここで、メインＬＰＦ（ローパスフィルタ）／スルー切替回路（Ｍ−Ｌ／Ｔ−ＳＷ）２１とサブＬＰＦ（ローパスフィルタ）／スルー切替回路（Ｓ−Ｌ／Ｔ−ＳＷ）２２とにおいては、ＨＤ（Ｈｉｇｈ　Ｄｅｆｉｎｉｔｉｏｎ）信号以外については、メインマイコン（ＭＣＰ）２０からの制御に基づいて、高周波数成分即ち余分なノイズ成分がそれぞれカットされた映像信号即ちメインＬＰＦ（ローパスフィルタ）回路（Ｍ−ＬＰＦ）１８とサブＬＰＦ（ローパスフィルタ）回路（Ｓ−ＬＰＦ）１９とをそれぞれ通過した映像信号が選択されて、メインの映像信号のみについては、更にＩＰ／ＰＡＳＳ入力切替回路（ＩＰ／Ｐ−ＳＷ）２３を介して、サブの映像信号と共に、ＩＰ変換／マルチ画面回路（ＩＰＣ／ＭＵＬ）２４に入力される。一方、ＨＤ信号については、広帯域の信号が存在するために、メインマイコン（ＭＣＰ）２０からの制御に基づいて、該メインＬＰＦ（ローパスフィルタ）回路（Ｍ−ＬＰＦ）１８と該サブＬＰＦ（ローパスフィルタ）回路（Ｓ−ＬＰＦ）１９とをそれぞれバイパスさせたスルーの映像信号が選択される。
【００６９】
また、メインＬＰＦ（ローパスフィルタ）／スルー切替回路（Ｍ−Ｌ／Ｔ−ＳＷ）２１とサブＬＰＦ（ローパスフィルタ）／スルー切替回路（Ｓ−Ｌ／Ｔ−ＳＷ）２２とにおいては、クローズドキャプションデコーダによりそれぞれの映像信号（走査ラインの第２１ライン目）に含まれているクローズドキャプション信号（Ｍ−ＣＣｉとＳ−ＣＣｉ）が抽出されて、メインマイコン（ＭＣＰ）２０のクローズドキャプション制御部（ＣＣ−Ｃ）２０ｂに出力される。而して、メインマイコン（ＭＣＰ）２０のクローズドキャプション制御部（ＣＣ−Ｃ）２０ｂにおいては、入力されてきたメイン及びサブの映像信号に含まれていたそれぞれのクローズドキャプション信号（Ｍ−ＣＣｉ及びＳ−ＣＣｉ）に基づくテキスト情報（字幕情報）に変換すると共に、それぞれ対応する映像信号にミキシング（重畳）すべく、該テキスト情報からなるメイン及びサブのクローズドキャプション表示信号を生成して、対応するメインＶＣＪ回路（Ｍ−ＶＣＪ）１２及びサブＶＣＪ回路（Ｓ−ＶＣＪ）１３にそれぞれ出力する。
【００７０】
更に、メインＬＰＦ（ローパスフィルタ）／スルー切替回路（Ｍ−Ｌ／Ｔ−ＳＷ）２１とサブＬＰＦ（ローパスフィルタ）／スルー切替回路（Ｓ−Ｌ／Ｔ−ＳＷ）２２とにおいては、それぞれの映像信号に含まれているＶｉｏｌｅｎｃｅレーティング情報も抽出されて、メインマイコン（ＭＣＰ）２０のＶ−ＣＨＩＰブロック制御部（Ｖ−ＣＨＩＰ−Ｃ）２０ｃに出力される。而して、メインマイコン（ＭＣＰ）２０のＶ−ＣＨＩＰブロック制御部（Ｖ−ＣＨＩＰ−Ｃ）２０ｃにおいて、該Ｖｉｏｌｅｎｃｅレーティング情報とユーザが予め指定している表示禁止レベルとの照合結果に基づいて、前述したモニタ映像信号のモニタ画面表示を制御する場合と全く同様に、テレビ画面への映像信号の出力をブロックするか否かが制御されて、映像信号をブロックすべきと判定された場合には、該映像信号にそれぞれ対応するメインブルーバック切替回路（Ｍ−ＢＢ）１４及びサブブルーバック切替回路（Ｓ−ＢＢ）１５に対して、当該映像信号の出力をブロックするブロック信号が出力される。
もって、映像信号の出力をブロックするブロック信号を入力されたメインブルーバック切替回路（Ｍ−ＢＢ）１４及び／又はサブブルーバック切替回路（Ｓ−ＢＢ）１５においては、映像信号の出力がブロックされると共に、ブルー一色からなるブルーバック信号が出力される。
【００７１】
なお、ＩＰ／ＰＡＳＳ入力切替回路（ＩＰ／Ｐ−ＳＷ）２３においては、メイン映像信号について、ＨＤ信号のような広帯域の映像信号が存在している場合の画質劣化を防止するために、コンポーネント信号入力切替回路（ＣＰＮＴ−ＳＷ）９から直接出力されているＰＡＳＳ映像信号とメインコンポーネント／コンポジット信号切替回路（Ｍ−Ｎ／Ｓ−ＳＷ）１６から更にメインＬＰＦ（ローパスフィルタ）／スルー切替回路（Ｍ−Ｌ／Ｔ−ＳＷ）２１を介して出力されてくるメイン映像信号との間の切替選択が行なわれ、ユーザからの選択指示を受け取ったメインマイコン（ＭＣＰ）２０からの選択制御に基づいて、ＰＡＳＳ映像信号あるいはメインＬＰＦ（ローパスフィルタ）／スルー切替回路（Ｍ−Ｌ／Ｔ−ＳＷ）２１を介して出力されたメイン映像信号のいずれかの映像信号がＲＧＢスケーリング処理部２８のＩＰ変換／マルチ画面回路（ＩＰＣ／ＭＵＬ）２４に入力される。
【００７２】
ＲＧＢスケーリング処理部２８の最初の画像処理部であるＩＰ変換／マルチ画面回路（ＩＰＣ／ＭＵＬ）２４においては、ＮＴＳＣ信号又はマルチ画面表示の場合には、それぞれ、プログレッシブ信号への変換を行なうＩＰ変換処理（Ｉｎｔｅｒｌａｃｅ・Ｐｒｏｇｒｅｓｓｉｖｅ変換処理）、あるいは、複数画面表示を可能とするマルチ画面処理が施されて、デジタルＲＧＢプロセッシング回路（ＲＧＢ）２５に入力される。また、高画質を要するＨＤ（Ｈｉｇｈ　Ｄｅｆｉｎｉｔｉｏｎ）信号の場合には、ＩＰ／ＰＡＳＳ入力切替回路（ＩＰ／Ｐ−ＳＷ）２３から出力されてくる映像信号は、ＩＰ変換／マルチ画面回路（ＩＰＣ／ＭＵＬ）２４をスルーにバイパスして、直接、デジタルＲＧＢプロセッシング回路（ＲＧＢ）２５に入力される。
【００７３】
デジタルＲＧＢプロセッシング回路（ＲＧＢ）２５においては、入力されてきた映像信号即ちＹＰＢＰＲ信号形式の映像ＹＰＢＰＲ信号を、ＲＧＢ信号形式の各８ＢＩＴのデジタル信号からなる映像ＲＧＢ信号に変換し、更に、黒伸長，白伸長，コントラスト，ブライトネス，テイント（汚れ）などの映像調整を行なうと共に、メインとサブの各映像ＲＧＢ信号を一つの映像ＲＧＢ信号として画像合成を行なって、スケーリング処理回路（ＳＣＡＬＥ）２６に出力する。
【００７４】
デジタルＲＧＢプロセッシング回路（ＲＧＢ）２５から入力されてくる映像ＲＧＢ信号（Ｒ，Ｇ，Ｂ各８ＢＩＴのデジタル信号）は、スケーリング処理回路（ＳＣＡＬＥ）２６において、テレビ画面の画面表示用のスケーリング処理が行なわれる。即ち、例えば、従来の技術にて説明したように、１６：９のテレビ画面に、アスペクト比４：３の標準の映像を表示する場合には、入力された映像ＲＧＢ信号に対して７５％に水平方向に時間圧縮処理が施される。また、２画面表示の場合には、テレビ画面の左右にメイン画面及びサブ画面を配置するように、メイン及びサブの映像ＲＧＢ信号をそれぞれ５０％に圧縮する処理が施される。
【００７５】
なお、パーソナルコンピュータ即ちパソコンからＰＣビデオ入力端子５を介して当該画像信号処理部１に入力されてくる映像ＲＧＢ信号については、周波数が多数存在する映像信号（即ち、標準のテレビ信号よりも広い周波数帯域の映像信号）であるため、ＰＣビデオ入力端子５から直接スケーリング処理回路（ＳＣＡＬＥ）２６に入力されて、テレビ画面に表示可能とするスケーリング処理が施される。ここで、スケーリング処理回路（ＳＣＡＬＥ）２６に内蔵されているスケーリング処理用ＩＣは、多数の周波数帯域に対応が可能とされている。
【００７６】
更に、スケーリング処理回路（ＳＣＡＬＥ）２６には、ユーザが指定する文字列や図形を含むメニュー情報からなるデジタルＯＳＤ（オンスクリーンディスプレイ）情報の入力機能も装備されている。ここで、文字列や図形からなるメニュー情報をオンスクリーン表示信号（ＯＳＤｓ）として映像信号に重畳させて、テレビ画面に表示せんとする際には、ユーザの指示に基づいて、該メニューを示すオンスクリーン表示信号（ＯＳＤｓ）が、メインマイコン２０のオンスクリーン制御部２０ａにて作成されて、オンスクリーン制御部２０ａからデジタルＯＳＤ出力回路（ＯＳＤ）２７に対して、バスを介して配信される。
【００７７】
デジタルＯＳＤ出力回路（ＯＳＤ）２７においては、配信されてきたオンスクリーン表示信号（ＯＳＤｓ）を画面表示可能なＲＧＢ信号形式のオンスクリーン表示信号（Ｒ，Ｇ，Ｂ各８ＢＩＴのデジタル信号）に変換して、スケーリング処理回路（ＳＣＡＬＥ）２６に出力する。スケーリング処理回路（ＳＣＡＬＥ）２６においては、デジタルＲＧＢプロセッシング回路（ＲＧＢ）２５から入力された映像ＲＧＢ信号に対して、画面表示用のスケーリング処理を施した後、かかるスケーリング処理が施された映像ＲＧＢ信号にデジタルＯＳＤ出力回路（ＯＳＤ）２７から入力されたオンスクリーン表示信号を重畳（即ちミキシング）させて出力する。
【００７８】
而して、ＲＧＢスケーリング処理部２８の最終段のスケーリング処理回路（ＳＣＡＬＥ）２６にて、オンスクリーン表示（ＯＳＤ）信号がスケーリング処理後の映像信号に重畳されることとしているので、従来の技術において記載したように、オンスクリーン表示用のＯＳＤ信号をブラウン管直前となる画像信号処理部の最終段よりも前段にて映像信号に重畳する場合に比し、ブラウン管に表示されるオンスクリーン表示の（ＯＳＤ）品質が劣化してしまうような欠点が伴わず、文字列や図形からなるメニュー情報を品質が高い高精細なオンスクリーン表示とすることが可能となる。
なお、本実施例においては、スケーリング処理回路（ＳＣＡＬＥ）２６からの映像信号は、デジタル信号のＲＧＢ２層出力信号（Ｒ，Ｇ，Ｂそれぞれ１６ＢＩＴずつ）としてブラウン管出力端子３１を介してブラウン管４３側に出力されて、ドライバ回路に入力され、テレビ画面として出力表示される。
【００７９】
更には、以上のような構成により、クローズドキャプション表示信号についても、オンスクリーン表示用のＯＳＤ信号とは独立に、映像信号に重畳させると共に、２画面表示の場合であっても、それぞれの画面に対応するメインとサブの映像信号に対して、それぞれのクローズドキャプション表示信号を重畳させることを可能としており、もって、例えば、１６：９のテレビ画面に、４：３の標準の映像信号を表示する場合であっても、映像信号と全く同様に、水平方向に７５％時間圧縮されて表示させることが可能であり、また、２画面以上の複数画面表示を行なう場合においても、従来のごとく、クローズドキャプション機能に全く対応していないか、あるいは、メイン画面のキャプションデータのみが全画面上にまたがって表示されてしまうような問題が解消されて、メイン及びサブ画面それぞれに対応するクローズドキャプション表示信号を、各画面上に、クローズドキャプション表示規格通りに表示させることができる。
【００８０】
かかるクローズドキャプション表示信号の画面表示例について、図２乃至図４に例示する。
ここに、図２は、１６：９のテレビ画面に１６：９の映像信号を１画面表示した場合（あるいは、１６：９のテレビ画面に４：３の映像信号をフルモードで１画面表示した場合）におけるクローズドキャプション表示信号の画面表示例であり、図３は、１６：９のテレビ画面に４：３の映像信号を１画面表示した場合におけるクローズドキャプション表示信号の画面表示例であり、図４は、１６：９のテレビ画面に４：３の映像信号を左右均等に２画面表示した場合におけるクローズドキャプション表示信号の画面表示例である。
【００８１】
図２に示すごとく、１６：９のテレビ画面に対して、アスペクト比１６：９の映像信号を１画面表示する場合においては、当該映像信号から抽出されたクローズドキャプション信号が解読された結果として、クローズドキャプション信号により指示されたクローズドキャプション表示信号即ちテキスト情報（ＡＡＡ…Ａの３２文字）が映像信号に重畳されてそのまま画面表示される。
【００８２】
また、図３に示すごとく、１６：９のテレビ画面にアスペクト比４：３の映像信号を１画面表示する場合、例えば、図３（Ａ）のように、従来技術においては、水平方向に７５％時間圧縮されている映像情報の表示からはみ出して、クローズドキャプション表示信号即ちテキスト情報（ＡＡＡ…Ａの３２文字）が表示される場合があるが、本発明においては、映像情報と全く同様のスケーリング処理が施されているので、図３（Ｂ）に示すごとく、クローズドキャプションの規格通り（即ち、映像画面内に３２文字表示）、クローズドキャプション表示信号即ちテキスト情報（ＡＡＡ…Ａの３２文字）も水平方向に７５％時間圧縮されて、映像情報に正しく重畳された形で画面表示される。
【００８３】
また、図４に示すごとく、１６：９のテレビ画面に４：３の映像信号を左右均等に２画面表示した場合、例えば、図４（Ａ）のように、従来技術においては、メイン映像情報から抽出されたクローズドキャプション表示信号即ちテキスト情報（ＡＡＡ…Ａの３２文字）のみが２画面にまたがって画面表示されてしまうが、本発明においては、映像情報と全く同様のスケーリング処理が施されているので、図４（Ｂ）に示すごとく、メインとサブとのそれぞれの映像信号から抽出されたクローズドキャプション信号により指示されたクローズドキャプション表示信号即ちテキスト情報（それぞれＡＡＡ…Ａの３２文字とＢＢＢ…Ｂの３２文字）が、それぞれに対応する映像信号に重畳された形で正しく画面表示される。
【００８４】
更に、本実施例においては、前述したように、メイン及びサブのテレビ画面に表示するメイン及びサブの映像のみならず、更には、モニタ画面に出力するモニタ映像に関しても、それぞれに対応する映像信号に含まれているＶｉｏｌｅｎｃｅレーティング情報に応じてそれぞれの映像の出力をブロックするＶ−ＣＨＩＰブロック機能も備えられており、視聴の可否に関わるきめ細かな制御も可能とされている。
【００８５】
【発明の効果】
以上に説明したごとく、本発明に係る画像表示装置によれば、以下のごとき効果が齎される。即ち、
オンスクリーン表示機能とクローズドキャプション表示機能とを独立に別個に装備させると共に、画像信号処理部の最終段にオンスクリーン表示機能を付与する構成としているので、オンスクリーン表示機能とクローズドキャプション表示機能とのそれぞれに最適な表示機能を提供することが可能であり、ユーザが指示する文字列や図形からなるメニュー情報等のオンスクリーン表示は、画像信号処理部の最終段において映像信号と重畳させることにより、高品質な高精細表示が可能となると同時に、字幕情報からなるテキスト情報等のクローズドキャプション表示は、重畳させた映像信号と同様の画像信号処理を行なうことにより、クローズドキャプション規格通りに正しく表示することが可能となる。
【００８６】
更には、２画面以上の複数のマルチ画面表示を行なう場合においても、それぞれの画面に表示する映像信号に対応するクローズドキャプション情報をそれぞれの映像情報の表示画面上に、クローズドキャプション規格通りに正しく表示することが可能である。
【００８７】
更に、モニタ画面出力機能を装備している画像表示装置においても、ユーザが予め指定している表示禁止レベル（即ち、Ｖ−ＣＨＩＰブロックのレベル）とモニタ出力映像信号に含まれているＶｉｏｌｅｎｃｅレーティング情報とを照合することにより、モニタ画面出力の可否を判定して、モニタ画面に出力する映像をブロックすることを可能とすると共に、オンスクリーン表示（ＯＳＤ）用のテキストデータを用いて、Ｖ−ＣＨＩＰブロック機能によりモニタ出力映像がブロック中である旨の表示をモニタ画面に出力することも可能である。
【図面の簡単な説明】
【図１】本発明に係る画像表示装置の一例である高精細大型画像表示装置のブロック構成例を示すブロック構成図である。
【図２】１６：９のテレビ画面に１６：９の映像信号を１画面表示した場合におけるクローズドキャプション表示信号の画面表示例である。
【図３】１６：９のテレビ画面に４：３の映像信号を１画面表示した場合におけるクローズドキャプション表示信号の画面表示例である。
【図４】１６：９のテレビ画面に４：３の映像信号を左右均等に２画面表示した場合におけるクローズドキャプション表示信号の画面表示例である。
【図５】従来技術におけるＲＧＢオンスクリーン回路のブロック構成を示すブロック図である。
【図６】図５に示す従来技術におけるＲＧＢオンスクリーン回路の各部の動作を示す動作波形図である。
【符号の説明】
１…画像信号処理部、２…チューナ入力端子、３…コンポジットビデオ入力端子、４…コンポーネントビデオ／ＲＧＢビデオ入力端子、５…ＰＣビデオ入力端子、６…ＤＶＩ／ＳＴＢ切替回路（Ｄ／Ｓ−ＳＷ）、７…ＲＧＢ→ＹＰＢＰＲ変換回路（ＲＧＢ→ＹＰＢＰＲ）、８…コンポジット信号入力切替回路（ＣＰＳＴ−ＳＷ）、９…コンポーネント信号入力切替回路（ＣＰＮＴ−ＳＷ）、１０…３次元ＹＣ分離回路（３−ＹＣ）、１１…２ラインＹＣ分離回路（２−ＹＣ）、１２…メインＶＣＪ回路（Ｍ−ＶＣＪ）、１３…サブＶＣＪ回路（Ｓ−ＶＣＪ）、１４…メインブルーバック切替回路（Ｍ−ＢＢ）、１５…サブブルーバック切替回路（Ｓ−ＢＢ）、１６…メインコンポーネント／コンポジット信号切替回路（Ｍ−Ｎ／Ｓ−ＳＷ）、１７…サブコンポーネント／コンポジット信号切替回路（Ｓ−Ｎ／Ｓ−ＳＷ）、１８…メインＬＰＦ（ローパスフィルタ）回路（Ｍ−ＬＰＦ）、１９…サブＬＰＦ（ローパスフィルタ）回路（Ｓ−ＬＰＦ）、２０…メインマイコン（ＭＣＰ）、２０ａ…オンスクリーン制御部（ＯＳＤ−Ｃ）、２０ｂ…クローズドキャプション制御部（ＣＣ−Ｃ）、２０ｃ…Ｖ−ＣＨＩＰブロック制御部（Ｖ−ＣＨＩＰ−Ｃ）、２１…メインＬＰＦ（ローパスフィルタ）／スルー切替回路（Ｍ−Ｌ／Ｔ−ＳＷ）、２２…サブＬＰＦ（ローパスフィルタ）／スルー切替回路（Ｓ−Ｌ／Ｔ−ＳＷ）、２３…ＩＰ／ＰＡＳＳ入力切替回路（ＩＰ／Ｐ−ＳＷ）、２４…ＩＰ変換／マルチ画面回路（ＩＰＣ／ＭＵＬ）、２５…デジタルＲＧＢプロセッシング回路（ＲＧＢ）、２６…スケーリング処理回路（ＳＣＡＬＥ）、２７…デジタルＯＳＤ出力回路（ＯＳＤ）、２８…ＲＧＢスケーリング処理部、２９…モニタ出力／Ｖ−ＣＨＩＰブロック用ＯＳＤ出力切替回路（ＭＯＮ）、３０…モニタ出力端子、３１…ブラウン管出力端子、４１…チューナＡ（ＴＵ−Ａ）、４２…チューナＢ（ＴＵ−Ｂ）、４３…ブラウン管、５１…アナログＹ，Ｕ，Ｖ復調部、５２…水平方向時間圧縮処理部、５３…ＲＧＢマトリックス部、５４…スイッチ部、５５…Ｙ，Ｕ，Ｖ変換部。
【図１】
2004023139.tif 000003
【図２】
2004023139.tif 000004
【図３】
2004023139.tif 000005
【図４】
2004023139.tif 000006
【図５】
2004023139.tif 000007
【図６】
2004023139.tif 000008